(57)【特許請求の範囲】
【請求項１】
開口を備えた外壁と、前記開口を通った状態で固定された固定対象であって前記外壁の前記開口の周縁部に対向する対向部を備える固定対象と、の隙間をシールするシール機構であって、
前記隙間に充填された環状の第１バックアップ材と、
前記隙間のうちの前記周縁部と前記対向部との間かつ前記第１バックアップ材よりも下方に配置され、前記第１バックアップ材の下端から下側に延びて、外部に開口した排水用の通路を構成する通路構成部材と、
前記第１バックアップ材の外周側で前記周縁部と前記対向部との間における前記通路構成部材及び前記通路以外の領域に充填されて、前記第１バックアップ材の外周側で前記開口の周縁部と前記対向部との間をシールする第１シーリング材と、
を備えることを特徴とするシール機構。
【請求項２】
前記通路構成部材は、断面Ｕ字状の溝部と、当該溝部の両端から張り出して前記対向部に固定された一対のツバ部と、を備えたハット型断面の部材である、
ことを特徴とする請求項１に記載のシール機構。
【請求項３】
前記隙間の前記第１バックアップ材よりも屋内側に充填された環状の第２シーリング材をさらに備える、
ことを特徴とする請求項１又は２に記載のシール機構。
【請求項４】
外壁の開口の周縁部と対向する対向部を備え、前記周縁部と前記対向部との間に環状のバックアップ材の外周に沿ってシーリング材が充填されるシール用部材であって、
前記バックアップ材が配置される位置よりも下方の位置で前記対向部に固定され、前記バックアップ材の下端から下側に延びかつ前記シーリング材が充填されない通路を構成するための通路構成部材を備え、
前記通路は、外部に開口した排水用の通路であること、
を特徴とするシール用部材。
【請求項５】
開口を備えた外壁と、前記開口を通った状態で固定された固定対象であって前記外壁の前記開口の周縁部に対向する対向部を備える固定対象と、の隙間をシールするシール機構の施工方法であって、
前記対向部の前記開口よりも下方の位置に、上下に延びて、外部に開口した排水用の通路を構成する通路構成部材が固定されており、
前記隙間の前記通路構成部材よりも内周側にバックアップ材を充填する第１ステップと、
前記バックアップ材の外周に沿って前記隙間に、シーリング材を充填する第２ステップと、を有し、
前記第２ステップでは、前記シーリング材を、前記通路構成部材を避けて充填することにより、前記通路にシーリング材を充填しない、
ことを特徴とするシール機構の施工方法。
【請求項６】
開口を備えた外壁と、前記開口を通った状態で固定された固定対象であって前記外壁の前記開口の周縁部に対向する対向部を備える固定対象と、の隙間をシールするシール機構の施工方法であって、
前記隙間にバックアップ材を充填する第１ステップと、
前記隙間のうちの前記周縁部と前記対向部との間かつ前記バックアップ材の充填位置よりも下方に、前記バックアップ材の下端から下側に延びて、外部に開口した排水用の通路を構成するための通路構成部材を配置する第２ステップと、
前記隙間のうち前記周縁部と前記対向部との間に、前記バックアップ材の外周に沿ってシーリング材を充填する第３ステップと、を有し、
前記第３ステップでは、前記シーリング材を、前記通路構成部材を避けて充填することにより、前記通路にシーリング材を充填しない、
ことを特徴とするシール機構の施工方法。
【発明の詳細な説明】
【技術分野】
【０００１】
本発明は、シール機構、シール用部材、及び、シール機構の施工方法に関する。
【背景技術】
【０００２】
特許文献１の図５には、外壁の開口の周縁部と当該周縁部に対向する止水板との隙間に間隔保持部材として充填されたバックアップ材と、前記隙間を前記バックアップ材の外周側でシールするシーリング材と、を備えたシール機構が開示されている。
【先行技術文献】
【特許文献】
【０００３】
【特許文献１】特開２００４−１６９９６９号公報
【発明の概要】
【発明が解決しようとする課題】
【０００４】
上記特許文献１に記載のシール機構では、シーリング材が紫外線等により経年劣化し、そのシール機能が低下してしまう。シール機能が低下すると、雨水が、シーリング材を通過して、バックアップ材が充填されている領域に貯まってしまう。当該領域に貯まった雨水は、筒体に腐食等の悪影響を与える。また、当該領域に貯まった雨水が、筒体と外壁との間から屋内に浸入してしまうことも考えられる。このため、間隔保持部材が充填されている領域に雨水を貯めないように、シーリング材を通過して前記の領域に入り込んだ雨水を効率よく外部に排出することが望ましい。
【０００５】
本発明は、バックアップ材が充填されている領域に入り込んだ雨水を効率よく排水することができるシール機構及びシール用部材を提供すること、及び、バックアップ材が充填されている領域に入り込んだ雨水を効率よく排水することができるシール機構を施工できる施工方法を提供すること目的とする。
【課題を解決するための手段】
【０００６】
本発明に係るシール機構は、開口を備えた外壁と、前記開口を通った状態で固定された固定対象であって前記外壁の前記開口の周縁部に対向する対向部を備える固定対象と、の隙間をシールするシール機構であって、前記隙間に充填された環状の第１バックアップ材と、前記隙間のうちの前記周縁部と前記対向部との間かつ前記第１バックアップ材よりも下方に配置され、前記第１バックアップ材の下端から下側に延びて、外部に開口した排水用の通路を構成する通路構成部材と、前記第１バックアップ材の外周側で前記周縁部と前記対向部との間における前記通路構成部材及び前記通路以外の領域に充填されて、前記第１バックアップ材の外周側で前記開口の周縁部と前記対向部との間をシールする第１シーリング材と、を備えることを特徴とする。
【０００７】
本発明に係るシール用部材は、外壁の開口の周縁部と対向する対向部を備え、前記周縁部と前記対向部との間に環状のバックアップ材の外周に沿ってシーリング材が充填されるシール用部材であって、前記バックアップ材が配置される位置よりも下方の位置で前記対向部に固定され、前記バックアップ材の下端から下側に延びかつ前記シーリング材が充填されない通路を構成するための通路構成部材を備え、前記通路は、外部に開口した排水用の通路であること、を特徴とする。
【０００８】
本発明に係るシール機構の施工方法は、開口を備えた外壁と、前記開口を通った状態で固定された固定対象であって前記外壁の前記開口の周縁部に対向する対向部を備える固定対象と、の隙間をシールするシール機構の施工方法であって、前記対向部の前記開口よりも下方の位置に、上下に延びて、外部に開口した排水用の通路を構成する通路構成部材が固定されており、前記隙間の前記通路構成部材よりも内周側にバックアップ材を充填する第１ステップと、前記バックアップ材の外周に沿って前記隙間に、シーリング材を充填する第２ステップと、を有し、前記第２ステップでは、前記シーリング材を、前記通路構成部材を避けて充填することにより、前記通路にシーリング材を充填しない、ことを特徴とする。
【０００９】
本発明に係るシール機構の施工方法は、開口を備えた外壁と、前記開口を通った状態で固定された固定対象であって前記外壁の前記開口の周縁部に対向する対向部を備える固定対象と、の隙間をシールするシール機構の施工方法であって、前記隙間にバックアップ材を充填する第１ステップと、前記隙間のうちの前記周縁部と前記対向部との間かつ前記バックアップ材の充填位置よりも下方に、前記バックアップ材の下端から下側に延びて、外部に開口した排水用の通路を構成するための通路構成部材を配置する第２ステップと、前記隙間のうち前記周縁部と前記対向部との間に、前記バックアップ材の外周に沿ってシーリング材を充填する第３ステップと、を有し、前記第３ステップでは、前記シーリング材を、前記通路構成部材を避けて充填することにより、前記通路にシーリング材を充填しない、ことを特徴とする。なお、上記第１ステップと第２ステップとでは、どちらを先に行ってもよい。
【発明の効果】
【００１０】
本発明に係るシール機構及びシール用部材によれば、通路構成部材により構成された通路によりバックアップ材が充填されている領域に入り込んだ雨水を効率よく排水することができる。本発明に係るシール機構の施工方法によれば、バックアップ材が充填されている領域に入り込んだ雨水を効率よく排水することができるシール機構を施工できる。
【図面の簡単な説明】
【００１１】
【図１】実施形態に係るシール機構、外壁、及び、換気扇ユニットの模式的な断面図である。
【図２】（Ａ）は図１のＡ部分の拡大断面図である。（Ｂ）は、図１のＢ部分の拡大断面図である。
【図３】換気扇ユニットの取付枠が有するシール板と取付枠本体とを説明するための分解斜視図である。
【図４】（Ａ）は、図１におけるウェザーカバーを除いた構成を、屋外側から立面視したときの立面図であり、（Ｂ）は、（Ａ）の構成を下方から見た図である。
【図５】図１のシール機構の施工方法の一例を示す流れ図である。
【図６】（Ａ）は、図１のシール機構の施工の様子を示す図であり、（Ｂ）は、（Ａ）のあとの様子を示す図である。
【図７】（Ａ）〜（Ｃ）は、変形例に係る通路構成部材を示す図である。
【発明を実施するための形態】
【００１２】
以下、実施の形態に係るシール機構１００等について図面を参照して説明する。なお、各図では、シール機構１００の構造を分かりやすくするため、当該シール機構１００を他の部材に比べて誇張して大きく描いている。また、各図では、各部材の内部構造を適宜省略している。例えば、図１では換気扇２２の内部構造が省略され、換気扇２２全体に断面を表すハッチングが付されている。また、ウェザーカバー２１等の内部に設けられる、空気の流れを制御する板材等も省略されている。
【００１３】
図１及び図２に示すように、シール機構１００は、開口１１を備える外壁１０と、開口１１を通った状態で外壁１０に固定された換気扇ユニット２０と、の隙間Ｓをシーリングしている。以下、外壁１０及び換気扇ユニット２０を説明してから、シール機構１００を説明する。
【００１４】
開口１１を備える外壁１０は、例えばＡＬＣ（Autoclaved Lightweight aerated Concrete）パネルにより形成されている。図３に示すように、外壁１０の開口１１は、四角形状に形成されている。
【００１５】
図１に示すように、換気扇ユニット２０は、屋外に配置されたウェザーカバー２１と、屋内に配置された換気扇２２と、ウェザーカバー２１と換気扇２２とが両端に取付けられるとともに外壁１０に取付けられる中空の取付枠２３と、を備える。
【００１６】
ウェザーカバー２１は、雨水の屋内への浸入を防止するカバーである。換気扇２２は、屋外の空気を屋内に導入する有圧換気扇、又は、屋内の空気を屋外に排出する有圧換気扇である。換気扇２２は、空気を浄化する各種のフィルタを備えてもよい。
【００１７】
図１及び図２に示すように、取付枠２３は、中空の筒体である取付枠本体２３Ａと、取付枠本体２３Ａの屋外側一端に固定されたシール板２３Ｂと、取付枠本体２３Ａの外周面に溶接等により固定されたストッパ２３Ｃと、を備える。取付枠２３は、取付枠２３ないし換気扇ユニット２０を外壁１０に取付けるための取付部材２３Ｄも備える。
【００１８】
取付枠本体２３Ａは、図３に示すように断面四角の筒形状を有する。図１及び図３に示すように、取付枠本体２３Ａは、開口１１の内面と間隔を開けた状態で、当該開口１１を通っている。図１に示すように、取付枠本体２３Ａの屋外側の一端には、シール板２３Ｂを挟んで、ウェザーカバー２１が、ボルトＢ１及びナットＮ１により固定されている。取付枠本体２３Ａの屋内側の一端には、換気扇２２が、ボルトＢ２及びナットＮ２により固定されている。なお、各固定の方法は、任意であり、溶接等による接合であってもよい。
【００１９】
シール板２３Ｂは、シール機構１００によるシールのためのシール用部材である。シール板２３Ｂは、図３に示すように、四角形の板材であり、その中央に、四角形の貫通孔２３ＢＡを有している。なお、図３の取付枠本体２３Ａ及びシール板２３Ｂでは、ボルトＢ１が挿入される貫通孔が省略されている。この貫通孔の省略は、後述の図４おいても同じである。貫通孔２３ＢＡは、図１及び図２に示すように、ウェザーカバー２１の外壁１０側の開口及び取付枠本体２３Ａの屋外側の開口と連通している。
【００２０】
図１〜図３に示すように、シール板２３Ｂの外周は、取付枠本体２３Ａの外周よりも大きい。このため、シール板２３Ｂは、取付枠本体２３Ａから外側にはみ出しており、図２及び図３に示すように、シール板２３Ｂの周縁部分が、外壁１０の開口１１の周縁部１２と対向している対向部２３ＢＢとなっている。図３において、対向部２３ＢＢは、シール板２３Ｂの２点鎖線の外側の領域であり、周縁部１２は、外壁１０の２点鎖線と開口１１の縁との間の領域である。
【００２１】
ストッパ２３Ｃは、シール機構１００が有する第２バックアップ材１０３に接して、当該第２バックアップ材１０３の屋内側への移動を規制している。取付部材２３Ｄは、Ｌ字鋼からなっており、取付枠本体２３Ａの側面に不図示のボルト又は溶接等により固定されている。さらに、取付部材２３Ｄは、ボルトＢ１により外壁１０に取付けられている。この取付けにより換気扇ユニット２０は、取付枠２３の取付部材２３Ｄにより外壁１０に固定されている。
【００２２】
図１及び図２に示すように、換気扇ユニット２０と外壁１０との間の隙間Ｓは、取付枠２３の取付枠本体２３Ａ及びシール板２３Ｂと、外壁１０の開口１１の内面及び開口１１の周縁部１２とにより、断面Ｌ字状である。また、隙間Ｓは、屋外側から立面視した場合に、四角環状形状である。
【００２３】
図１及び図２に示すように、シール機構１００は、断面Ｌ字状の隙間Ｓをシールしている。シール機構１００は、第１バックアップ材１０１と、第１シーリング材１０２と、第２バックアップ材１０３と、第２シーリング材１０４と、通路構成部材１０５と、を備えている。バックアップ材１０１及び１０３は、例えば、ポリエチレン発泡体等の各種の棒状部材からなり、シーリング材１０２、１０４には、例えば、ウレタン系又はシリコン系の合成樹脂が使用される。
【００２４】
図１及び図２に示すように、隙間Ｓのうち、取付枠本体２３Ａとシール板２３Ｂとにより形成された角部分には、第１バックアップ材１０１が充填されている。第１バックアップ材１０１は、図４に示すように開口１１の縁に沿った四角環状形状に形成されている。
【００２５】
図１及び図２に示すように、隙間Ｓのうち、対向しているシール板２３Ｂの対向部２３ＢＢと外壁１０の周縁部１２との間には、第１シーリング材１０２が充填されている。第１シーリング材１０２は、第１バックアップ材１０１の外周側に配置されており、第１バックアップ材１０１の外周を囲んでいる。第１シーリング材１０２は、第１バックアップ材１０１の外周側で、対向部２３ＢＢと周縁部１２との間をシールしている。第１シーリング材１０２は、第１バックアップ材１０１に接触しており、第１バックアップ材１０１によりバックアップされている。第１シーリング材１０２は、図４に示すように、第１バックアップ材１０１の外周に沿って形成されている。
【００２６】
図１及び図２に示すように、隙間Ｓのうち、取付枠本体２３Ａと開口１１の内面との間には、屋内側から順に第２バックアップ材１０３、第２シーリング材１０４が充填されている。第２シーリング材１０４は、第２バックアップ材１０３に接しており第２バックアップ材１０３によりバックアップされている。第２バックアップ材１０３と第２シーリング材１０４とは、第１バックアップ材１０１と同様に、開口１１の縁に沿って四角環状形状に形成されている。第２バックアップ材１０３と第２シーリング材１０４とは、屋外側から立面視したときに、第１バックアップ材１０１と重なる位置及び形状に形成されている。第２バックアップ材１０３と第２シーリング材１０４とは、第１バックアップ材１０１よりも屋内側に位置している。第２シーリング材１０４は、第１バックアップ材１０１と接していても、接していなくてもよい。
【００２７】
通路構成部材１０５は、図３及び図４に示すように、シール板２３Ｂの対向部２３ＢＢの下部に固定されている。通路構成部材１０５は、対向部２３ＢＢから外壁１０の周縁部１２に向けて突出したハット型断面を有する。具体的に、通路構成部材１０５は、図３に示すように、断面Ｕ字状の溝部１０５Ａと、溝部１０５Ａの両端から張り出して対向部２３ＢＢに溶接又は不図示のボルトにより固定されている一対のツバ部１０５Ｂと、を備える。
【００２８】
通路構成部材１０５は、上下開放の部材であり、上下方向に沿って延び、通路構成部材１０５の上下の空間を連通させる通路Ｒを構成している。通路構成部材１０５は、隙間Ｓのうち、互いに対向しているシール板２３Ｂの対向部２３ＢＢと外壁１０の周縁部１２との間かつ外壁の開口１１及び第１バックアップ材１０１よりも下の位置に配置されている。このため、通路Ｒは、第１バックアップ材１０１の下端１０１Ａから下方に延びている。通路構成部材１０５は、シール板２３Ｂの下端、つまり、対向部２３ＢＢと周縁部１２との間の下端まで達しており、通路Ｒも当該下端まで達している。第１バックアップ材１０１の下に配置された第１シーリング材１０２の下部１０２Ａは、図４（Ｂ）に示すように、通路構成部材１０５で途切れている。つまり、通路構成部材１０５が構成している通路Ｒは、第１シーリング材１０２の下部１０２Ａの途中に設けられている。そして、通路Ｒは、隙間Ｓのうちの通路構成部材１０５の上方の第１バックアップ材１０１が充填されている空間である領域Ｕ１と、第１シーリング材１０２よりも下方かつ通路構成部材１０５の下の空間である領域Ｕ２と、を連通させている。図４（Ｂ）に示すように、通路Ｒは、第１バックアップ材１０１具体的には下端１０１Ａを第１シーリング材１０２から下方に露出させている。
【００２９】
シール機構１００は、図５に示す工程により施工される。まず、取付枠２３の取付枠本体２３Ａを取付部材２３Ｄ及びボルトＢ３により外壁１０に固定する（ステップＳ１）。その後、図６（Ａ）に示すように、取付枠本体２３Ａと外壁１０の開口１１の内面との間に、棒状の第２バックアップ材１０３を詰め込んで充填し、その後、ペースト状の第２シーリング材１０４を充填する（ステップＳ２）。第２シーリング材１０４の乾燥後、図６（Ｂ）に示すように、シール板２３Ｂを取付枠本体２３Ａに固定する（ステップＳ３）。この固定は、ボルトＢ１にナットＮ１を仮締めして行う。これにより、断面Ｌ字状の隙間Ｓが形成されることになる。その後、隙間Ｓのうち断面Ｌ字の角の領域、つまり、通路構成部材１０５の内周側に棒状の第１バックアップ材１０１を詰め込んで充填する（ステップＳ４）。隙間Ｓのうち通路構成部材１０５の上の領域には、棒状の第１バックアップ材１０１が横から差し込まれる。その後、ペースト状の第１シーリング材１０２を、第１バックアップ材１０１の外周に沿った環状の経路上に配置された通路構成部材１０５を避けて充填する（ステップＳ５）。これにより、第１シーリング材１０２は、シール板２３Ｂの対向部２３ＢＢと外壁１０の周縁部１２との間のうち通路構成部材１０５及び通路Ｒ以外の領域に充填される。通路Ｒは、通路構成部材１０５の上下の空間、つまり、第１バックアップ材１０１が充填されている領域Ｕ１と、第１シーリング材１０２の下方の領域Ｕ２と、を連通させることができる。ステップＳ５で充填された第１シーリング材１０２が乾燥することでシール機構１００が完成する（図６（Ｂ）参照）。
【００３０】
シール機構１００の完成後、ウェザーカバー２１及び換気扇２２が取付枠本体２３Ａに取付けられるが、ウェザーカバー２１は、例えば、仮締めに使用されたナットＮ１を一端外したあと、ボルトＢ１と外したナットＮ１とで取付枠本体２３Ａに取付けられる。
【００３１】
第１シーリング材１０２が紫外線等により経年劣化したとき、第１シーリング材１０２には、ひび割れ等が発生する。このため、雨水は、図４（Ａ）の矢印Ｐに示すように、第１シーリング材１０２に染み込み、やがて、隙間Ｓのうちの第１バックアップ材１０１が充填された領域に到達する。第１バックアップ材１０１の屋内側には第２シーリング材１０４が充填されている一方、第１バックアップ材１０１は、シール機能がほとんどないので、前記領域に到達した雨水は、屋内側には移動せず、矢印Ｐに示すように、第１バックアップ材１０１の周囲、具体的には、バックアップ材１０１と、シール板２３Ｂ、第２シーリング材１０４又は取付枠本体２３Ａとの間を伝って又は第１バックアップ材１０１に染み込んで当該第１バックアップ材１０１内を伝って下部に移動する。下部に移動した雨水は、通路構成部材１０５の上方かつ第１バックアップ材１０１の下部が収容されている領域Ｕ１まで移動し、当該領域Ｕ１と第１シーリング材１０２よりも下方の領域Ｕ２とを連通させている通路Ｒを通って外部に排出される。従って、本実施の形態によれば、経年劣化により、雨水が第１シーリング材１０２に染み込んで第１バックアップ材１０１が充填された領域に到達した場合であっても、通路Ｒを形成しない従来よりも当該領域に到達した雨水を効率良く排出できる。これにより、換気扇ユニット２０、特に、取付枠本体２３Ａ及びシール板２３Ｂの雨水による腐食等を発生し難くすることができる。
【００３２】
また、この実施の形態では、通路構成部材１０５を設けているので、第１シーリング材１０２を充填するときに、当該通路構成部材１０５を避けて第１シーリング材１０２を充填すれば、通路Ｒを確保できる。従って、通路Ｒを備えるシール機構１００を容易に施工できる。
【００３３】
さらに、通路構成部材１０５は、断面Ｕ字状の溝部１０５Ａと、溝部１０５Ａから張り出して対向部２３ＢＢに固定されている一対のツバ部１０５Ｂと、を備えたハット型断面を有するので、通路Ｒを容易に形成できる。
【００３４】
さらに、シール機構１００は、隙間Ｓにおける第１バックアップ材１０１よりも屋内側の領域に充填された第２シーリング材１０４により、第１バックアップ材１０１が充填された領域に到達した雨水が、屋内に浸入することを防止できる。このため、シール機構１００は、高いシール性を有している。なお、第１バックアップ材１０１が充填された領域に雨水が大量に貯まってしまうと、当該雨水に長時間接することになる第２シーリング材１０４も雨水により劣化することがある。当該劣化は、雨水の屋内への浸入を引き起こすが、この実施の形態では、上記のように雨水は効率良く排出されるので、第２シーリング材１０４が劣化しにくく、雨水の屋内への浸入も発生し難い。
【００３５】
シール機構１００の構成については、適宜変更できる。例えば、バックアップ材１０１及び１０３、シーリング材１０２及び１０４の材料等は、適宜変更可能である。以下、その他の変形例を例示する。
【００３６】
シール機構１００がシールする対象は、開口１１を通った状態で固定された固定対象であって外壁１０の開口１１の周縁部１２に対向する対向部を備える固定対象であればよい。固定対象は、換気扇ユニット２０に限られない。また、固定対象は、外壁以外の部分で固定されてもよい。通路構成部材１０５は、第１バックアップ材１０１の横方向中央の下に配置されているが、第１バックアップ材１０１の下の他の位置に配置されてもよい。シール板２３Ｂの対向部２３ＢＢの下部に固定された通路構成部材１０５は、シール板２３Ｂないし換気扇ユニット２０が備える部材と捉えてもよい。
【００３７】
通路構成部材１０５は、例えば、図３及び図４に示す角形の断面Ｕ字状の溝部１０５Ａではなく、図７（Ａ）に示す丸形の断面Ｕ字状の溝部１０５Ａを備えたハット型断面を有してもよい。また、さらに、溝部１０５Ａは、上記実施の形態のように、外壁１０の周縁部１２に接していなくてもよい。なお、溝部１０５Ａが角形の断面Ｕ字状で、周縁部１２に接していると、通路Ｒを広くとることができ、雨水を効率的に排水しやすい。通路構成部材１０５は、図７（Ｂ）に示すように、間に通路Ｒが延びている一対のＬ字鋼１０５Ｄにより構成されてもよい。通路構成部材１０５は、図７（Ｃ）に示すように、外壁１０の周縁部１２に不図示のボルト等により固定され、周縁部１２からシール板２３Ｂの対向部２３ＢＢに向かって突出するものであってもよい。なお、通路構成部材１０５は、固定対象側の対向部２３ＢＢに固定された方が、通路構成部材１０５の位置決めが容易であり、シール機構１００の施工が容易である。通路構成部材１０５は、第１バックアップ材１０１が充填される前から周縁部１２又はシール板２３Ｂに固定されていてもよいし、第１バックアップ材１０１が充填されたあとに配置されてもよい。通路構成部材１０５は、周縁部１２又はシール板２３Ｂと一体的に成形されることで、これらに固定されたものであってもよい。
【００３８】
通路構成部材１０５は、シール板２３Ｂの下端、つまり、対向部２３ＢＢと周縁部１２との間の下端まで達していなくてもよい。上記実施の形態では、第１シーリング材１０２は、対向部２３ＢＢと周縁部１２との間の通路構成部材１０５及び通路Ｒ以外の全領域に充填されているが、一部の領域に充填されてもよい。通路構成部材１０５により構成される通路Ｒは、例えば、上下に延びていればよく、特に、第１バックアップ材１０１の下端１０１Ａから下側に延びていればよく、上記実施の形態のように、上下方向に沿って、つまり、水平方向に垂直な方向に沿って延びてもよいし、上下方向に対して傾いた斜めに延びていてもよい。
【００３９】
第２バックアップ材１０３及び第２シーリング材１０４を省略して、外壁１０の開口１１の内面と、取付枠本体２３Ａの外周面とを接触するようにしてもよい。
【符号の説明】
【００４０】
１０  外壁、１１  開口、１２  周縁部、２０  換気扇ユニット、２１  ウェザーカバー、２２  換気扇、２３  取付枠、２３Ａ  取付枠本体、２３Ｂ  シール板、２３ＢＡ  貫通孔、２３ＢＢ  対向部、２３Ｃ  ストッパ、２３Ｄ  取付部材、１００  シール機構  １０１  第１バックアップ材、１０１Ａ  下端、１０２  第１シーリング材、１０２Ａ  下部、１０３  第２バックアップ材、１０４  第２シーリング材、１０５  通路構成部材、１０５Ａ  溝部、１０５Ｂ  ツバ部、１０５Ｄ  Ｌ字鋼、Ｂ１〜Ｂ３  ボルト、Ｎ１，Ｎ２  ナット、Ｒ  通路、Ｓ  隙間、Ｕ１，Ｕ２  領域。
【図１】
0006932215.tif 000002
【図２】
0006932215.tif 000003
【図３】
0006932215.tif 000004
【図４】
0006932215.tif 000005
【図５】
0006932215.tif 000006
【図６】
0006932215.tif 000007
【図７】
0006932215.tif 000008